(57)【要約】      （修正有）【課題】容易に着脱可能な内装カバーを有するスーツケースを提供する。【解決手段】スーツケース１０は、収納部１１と、収納部１１の内側に設けられた内装カバー１３と、収納部１１に設けられ、所定間隔離間して設けられた複数の突起部１６を有する第１のアタッチメント１４と、内装カバー１３に設けられ、突起部１６に対応して設けられた複数の穴部１７を有する第２のアタッチメント１５とを具備し、突起部１６と穴部１７とが着脱可能に係合されることで、内装カバー１３が収納部１１に対して着脱可能に取り付けられている。【選択図】図１
0003209803.tif 000002
【実用新案登録請求の範囲】
【請求項１】
収納部と、
前記収納部の内側に設けられた内装カバーと、
前記収納部に設けられ、所定間隔離間して設けられた複数の第１の係合部を有する第１のアタッチメントと、
前記内装カバーに設けられ、前記第１の係合部に対応して設けられた複数の第２の係合部を有する第２のアタッチメントと
を具備し、
前記第１の係合部と前記第２の係合部とが着脱可能に係合されることで、前記内装カバーが前記収納部に対して着脱可能に取り付けられていることを特徴とするスーツケース。
【請求項２】
前記第１の係合部及び前記第２の係合部の一方は、突起部であり、
前記第１の係合部及び前記第２の係合部の他方は、切込み部を有する穴部であることを特徴とする請求項１に記載のスーツケース。
【考案の詳細な説明】
【技術分野】
【０００１】
本考案は、容易に着脱可能な内装カバーを有するスーツケースに関する。
【背景技術】
【０００２】
一般的に、スーツケースの内側には、トップハンドルやサイドハンドルの取り付け部、キャスターの取り付け部、さらに、キャリーハンドルの伸縮可能なパイプの外筒等が設けられている。このため、これらの部品によって、スーツケースに収納する衣類等が損傷したり、汚れたりすることを防止するために、スーツケースの内部には内装カバーが取り付けられている。
このような内装カバーは、スーツケースの使用によって破れや汚れが発生し、取り替えが必要な場合が生じることがある。このような場合に対して、特許文献１及び２等では、内装カバーを取り外し可能にしたスーツケースが提案されている。
【先行技術文献】
【特許文献】
【０００３】
【特許文献１】特開２００２−２８２０３２号
【特許文献２】特開２００９−１４８３２４号
【考案の開示】
【考案が解決しようとする課題】
【０００４】
しかしながら、このような従来のスーツケースの内装カバーは、取り外しはできるももの、簡単に着脱できるとは言い難かった。
そこで、本考案は、容易に着脱可能な内装カバーを有するスーツケースを提供する。
【課題を解決するための手段】
【０００５】
本考案の一実施形態に係るスーツケースは、収納部と、前記収納部の内側に設けられた内装カバーと、前記収納部に設けられ、所定間隔離間して設けられた複数の第１の係合部を有する第１のアタッチメントと、前記内装カバーに設けられ、前記第１の係合部に対応して設けられた複数の第２の係合部を有する第２のアタッチメントとを具備し、前記第１の係合部と前記第２の係合部とが着脱可能に係合されることで、前記内装カバーが前記収納部に対して着脱可能に取り付けられている。
【０００６】
前記スーツケースにおいて、前記第１の係合部及び前記第２の係合部の一方は、突起部であり、前記第１の係合部及び前記第２の係合部の他方は、切込み部を有する穴部であってもよい。
【考案の効果】
【０００７】
本考案は、容易に着脱可能な内装カバーを有するスーツケースを提供することができる。
【図面の簡単な説明】
【０００８】
【図１】本考案の一実施形態に係るスーツケースを示す概略図。
【図２】本考案の一実施形態に係るスーツケースのアタッチメントを示す斜視図。
【図３】本考案の一実施形態に係る他のスーツケースを示す概略図。
【考案を実施するための形態】
【０００９】
以下、実施形態について、図面を参照して説明する。尚、以下の説明において、同一の機能及び構成を有する要素については、共通する参照符号を付す。
【００１０】
図１は、本考案の一実施形態に係るスーツケースの概略図を示す。図２は、本考案の一実施形態に係るスーツケースのアタッチメントの斜視図を示す。図３は、本考案の一実施形態に係る他のスーツケースの概略図を示す。以下、図１乃至図３を用いて、スーツケースの概要について説明する。
図１に示すように、本実施形態に係るスーツケース１０は、収納部１１、キャスター１２、内装カバー１３、第１のアタッチメント１４、第２のアタッチメント１５を備えている。尚、スーツケース１０の部品については、図示する部品に限定されず、適宜追加、変更等が可能である。
【００１１】
収納部１１は、所定容量の衣服類等の荷物を収納及び保管することができ、例えばファスナーにより開閉可能になっている。収納部１１は、金属製、プラスチップ製、布製等の箱型で形成されている。収納部１１の内側には、キャリーハンドルの伸縮可能なパイプの外筒１９が設けられている。
キャスター１２は、収納部１１の底面に取り付けられている。このキャスター１２が回転することで、スーツケース１０を容易に移動させることができる。キャスター１２の取り付け部や収納部分が、収納部１１の内側に設けられている。
【００１２】
内装カバー１３は、収納部１１の内側に設けられており、収納部１１の形状に沿って収納部１１の内面を覆うことが可能である。内装カバー１３は、例えば、繊維の布地、ナイロン、軟質塩化ビニル等のプラスチックシート等で形成されている。尚、内装カバー１３には、小物収納用の内ポケット等を設けてもよい。
【００１３】
第１のアタッチメント１４は、収納部１１の縁に沿って設けられている。第１のアタッチメント１４は、複数の突起部１６を有している。複数の突起部１６は、所定間隔離間して設けられ、収納部１１の側面に対して垂直方向に突起している。複数の突起部１６は、等間隔で形成されているが、これに限定されない。突起部１６は、球状であるが、円柱状、直方体状等、種々の形状に変更可能である。
【００１４】
第２のアタッチメント１５は、内装カバー１３の縁に沿って設けられている。第２のアタッチメント１５は、複数の穴部１７を有している。これらの穴部１７は、突起部１６に対応する位置にそれぞれ設けられている。穴部１７は、円状であるが、突起部１６の形状に応じて種々変更可能である。図２に示すように、穴部１７は、少なくとも１つの切込み部１８が設けられていてもよい。切込み部１８の切込み方向は、第２のアタッチメント１５の延在方向に向くことが望ましい。
【００１５】
第１及び第２のアタッチメント１４及び１５は、収納部１１及び内装カバー１３の縁に沿って、それぞれ連続して一周設けられている。但し、第１及び第２のアタッチメント１４及び１５は、このような形状に限定されず、例えば、収納部１１及び内装カバー１３のコーナー部には設けられず、４つの側面に分断されてもよい。
第１及び第２のアタッチメント１４及び１５は、例えば、プラスチック等の樹脂で形成されている。第１及び第２のアタッチメント１４及び１５は、同じ材質で形成されているが、異なる材質にすることも可能である。
【００１６】
このような本実施形態のスーツケース１０は、内装カバー１３が収納部１１に対して着脱可能に取り付けられている。つまり、図２に示すように、スーツケース１０の使用者は、第２のアタッチメント１５の穴部１７に第１のアタッチメント１４の突起部１６が嵌るように、内装カバー１３を収納部１１に装着し、第２のアタッチメント１５の穴部１７から第１のアタッチメント１４の突起部１６を外すことで、内装カバー１３を収納部１１から取り外すことができる。この際、穴部１７に切込み部１８があることで、突起部１６と穴部１７の着脱が容易となり、内装カバー１３の取り外しや取り付けがさらに容易となる。
【００１７】
本考案の一実施形態によれば、第１のアタッチメント１４の突起部１６と第２のアタッチメント１５の穴部１７とが着脱可能に係合されることで、内装カバー１３が収納部１１に対して着脱可能に取り付けられている。このため、スーツケースの使用者は、内装カバー１３が収納部１１に容易に着脱することが可能である。これにより、ハンドルやキャスターなどの付属部品を修理する場合、内装カバー１３を取り外して実施できるため、修理がし易くなる。さらに、内装カバー１３が汚れた時には取り外して洗うことができ、破れて破損した時には内装カバー１３を交換でき。利便性が向上する。また、使用者の好みに応じて、柄、色、素材の異なる内装カバー１３に付け替えることもできる。
【００１８】
尚、本考案の一実施形態では、収納部１１の側面及び主面を含む全体の収納カバー１３を一度に着脱可能な構造について説明したが、これに限定されない。例えば、図３に示すように、第１のアタッチメント１４を収納部１１の側面と主面の境界部分付近に設け、収納部１１の主面の部分の内装カバー１３のみを取り外せるようにしてもよい。また、第１のアタッチメント１４を、収納部１１の縁と、収納部１１の側面と主面の境界部分に設け、収納部１１の主面の部分の内装カバー１３と、収納部１１の側面の部分の内装カバー１３とを別々に取り外せるようにしてもよい。
【００１９】
また、第１のアタッチメント１４が突起部１６を有し、第２のアタッチメント１５が穴部１７を有しているが、第１のアタッチメント１４に穴部１７を設け、第２のアタッチメント１５に突起部１６を設けてもよい。また、第１のアタッチメント１４と第２のアタッチメント１５との係合部は、突起部１６と穴部１７からなる構造に限定されず、係合可能な部材に種々変更することが可能である。
【００２０】
尚、本考案の実施形態を説明したが、これらの実施形態は、例として提示したものであり、考案の範囲を限定することは意図していない。これら新規な実施形態は、その他の様々な形態で実施されることが可能であり、考案の要旨を逸脱しない範囲で、種々の省略、置き換え、変更を行うことができる。
【符号の説明】
【００２１】
１０…スーツケース
１１…収納部
１２…キャスター
１３…内装カバー
１４…第１のアタッチメント
１５…第２のアタッチメント
１６…突起部
１７…穴部
１８…切込み部
１９…外筒
【図１】
0003209803.tif 000003
【図２】
0003209803.tif 000004
【図３】
0003209803.tif 000005